(57)【特許請求の範囲】
【請求項１】
加熱されたグルーガンを立てかけておくグルーガンスタンドであって、
概ね長方形状の底面をもつ台座と、グルーガンのトリガレバー上部を凭せ掛ける立掛板とを有し、
前記立掛板は、前記台座の中央部付近、かつ、長手方向にほぼ直交する位置から上方に向けて立設し、
前記台座は、グルーガンのグリップ部を載置するためのものであって、前記立掛板によって第１受台部分と第２受台部分とに二分されており、
第２受台部分のグリップ部載置面は、第１受台部分のグリップ部載置面よりも高くなっており、
前記台座がグルーガンよりも重いことを特徴とするグルーガンスタンド。
【請求項２】
請求項１に記載のグルーガンスタンドであって、ガラスを材料とすることを特徴とするもの。
【請求項３】
請求項１又は請求項２に記載のグルーガンスタンドであって、前記立掛板は、前記第１受台部分の側に若干傾斜していることを特徴とするもの。
【請求項４】
請求項１〜請求項３のいずれか１に記載のグルーガンスタンドであって、前記立掛板の頂部に、凹部を設けることを特徴とするもの。
【発明の詳細な説明】
【技術分野】
【０００１】
加熱されたグルーガンを、安全に保持することができるグルーガンスタンドに関する。
【背景技術】
【０００２】
グルーガンは、ピストル型の接着用具であり、スティック状の固形接着剤（グルー）を差し込んで電源を入れると数分で高温になり、グリップ部を握ってトリガレバーを引くことにより、温められたグルーが先端のガンノズルから出てくるものである。
各種手芸作業では、このグルーガンが多用されている。糊付けしようとする箇所にガンノズルを当て、トリガレバーを引くだけで、溶融したグルーがガンノズルから出てくるので、片手でも糊付け作業が行えるからである。しかも、高温のため溶融したグルーの接着力は強力であり、瞬時に接着できるので、手早い作業に適しているからである。
【０００３】
手芸等では細かい作業が多く、一連の作業の中で、糊付けが断続的に、かつ、頻繁に行われる。そのため、一連の作業を終えるまでの間は、グルーガンはいつでも使用できるように電源を入れて待機状態にしておく。
従来は、このような待機中のグルーガンを保持する専用の用具がなく、床や作業机の上に、グルーガンを寝かせて置くなどしていたので、作業している人が、加熱したガンノズルに誤って触れるおそれがあった。また、熱したグルーが流れ出して床などに付着することもあった。
【０００４】
そのため、特開２００１−２３２２６２号公報記載の発明は、グルーガンのガンノズルにサポートホイールを装着することにより、床面等にグルーが付着することを防止しようとする。
【０００５】
また、作業中加熱した状態で待機させておくという点では、半田ごてもグルーガンと同様であり、特開平１１−２９１０２９号公報記載の発明では、ピストル型半田ごてを立てかけて保持する置き台が提案されている。
【０００６】
【特許文献１】特開２００１−２３２２６２号公報
【特許文献２】特開平１１−２９１０２９号公報
【発明の開示】
【発明が解決しようとする課題】
【０００７】
しかし、特許文献１に記載の発明は、グルーガン自体に関する発明であり、本発明とは本質的に異なるものである。
また、前記特許文献２に記載の「ピストル型半田ごて用置き台」は、グルーガンスタンドとして転用することも考えられなくはない。しかし、この置き台にグルーガンを置く場合、離間した二箇所の受け台の上に置かなくてはならず、作業における使い勝手が良いとはいえない。
【０００８】
一方、木製の板状片の上に木片を斜めに立ててフックなどで固定し、この木片の上端部にグルーガンのノズル部分を立てかける用具が出回り始めている。しかし、高温のグルーが溶けてこの木製の用具上に流れ出した場合、冷めて固まったグルーをふき取るのは簡単ではない。ふき取る際に木片の表面を傷つけてしまうおそれがあり、長期間の使用には耐えない。
【０００９】
以上のような問題点を考慮し、本発明は、待機中の安全性、作業における使い勝手の良さ、汚れ除去の容易さを備えたグルーガンスタンドの提供を目的とする。
即ち、電源を入れたまま待機中のグルーガンを、安全に保持できること、しかも、他の作業に没頭しながら、グルーガンを置いたり手に取ったり簡単にできること、流れ出して付着したグルーを簡単に取り除けることを目的とする。
また、ひとつのグルーガンスタンドで、小型サイズと大型サイズのグルーガンに対応できることも目的とする。
更に、インテリアとしての装飾性も備えたグルーガンスタンドの提供も目的とする。
【課題を解決するための手段】
【００１０】
以上の目的を達成するために、本発明のグルーガンスタンドは、概ね長方形状の底面をもつ台座と、グルーガンのトリガレバー上部を凭せ掛ける立掛板とを有し、前記立掛板は、前記台座の中央部付近、かつ、長手方向にほぼ直交する位置から上方に向けて立設し、前記台座は、グルーガンのグリップ部を載置するためのものであって、前記立掛板によって、第１受台部分と第２受台部分とに二分されており、第２受台部分のグリップ部載置面は、第１受台部分のグリップ部載置面よりも高くなっており、前記台座がグルーガンよりも重いことを特徴とする。
【００１１】
本発明のグルーガンスタンドは、ガラスを材料とすることができる。
また、前記立掛板は、前記第１受台部分の側に若干傾斜させてもよい。
さらに、前記立掛板の頂部に、凹部を設けてもよい。
【発明の効果】
【００１２】
請求項１に記載の発明によれば、グルーガンを立掛板の頂部に立てかけておくだけでよいので、作業に没頭しながら無造作にグルーガンを置くことができる。立掛板の両側の台座部分の高さが異なるので、サイズの異なるグルーガンにも１台のスタンドで対応できる。また、グルーガンよりもグルーガンスタンドの方が重いので、グルーガンを載せたときにグルーガンスタンドが転倒するおそれがない。
【００１３】
請求項２に記載の発明によれば、耐熱性のあるガラスで形成されるので、高温のガンノズル部分がこのスタンドに接触したり、熱したグルーが流れ落ちても安全である。流れ出して固まったグルーを剥がすことも容易である。
【００１４】
請求項３に記載の発明によれば、立掛板が垂直よりも若干傾いていることから、グルーガンを安定した状態で保持できる。
請求項４に記載の発明によれば、立掛板の頂部に設けた窪みにおいて、グルーガンのトリガレバーの上の部分を支えるので、グルーガンを安定した状態で保持できる。
【発明を実施するための最良の形態】
【００１５】
以下、本発明の実施の形態について図面を用いて説明する。
図１は、本発明の実施の形態のグルーガンスタンド１の斜視図である。図１を参照してグルーガンスタンドについて説明する前に、グルーガンについて説明する。
【００１６】
図２は、グルーガンの例を示す図である。グルーガンＧは、グリップ部Ｇ１と、グリップ部Ｇ１に設けられたトリガレバーＧ２と、グリップ部の先端にあるガンノズルＧ３と、支持脚Ｇ４とを有する。
支持脚Ｇ４は、トリガレバーＧ２とガンノズルＧ３との間に位置し、グルーガンＧを床などに置いたとき、ガンノズルＧ３が床などに接触しないようにするためのものである。
グルーガンＧは、電源コードＧ６によって電源と接続されると、ガンノズルＧ３の近くにあるヒータ（図示せず）が温められ、グリップ部Ｇ１の後端から挿入されたグルースティックＧ５が溶解する。トリガレバーＧ２が引かれることによって、溶けたグルーがガンノズルＧ３から外へ押し出される。
【００１７】
次に、図１に従い、この実施形態のグルーガンスタンド１の構成について説明する。なお、図３と図４には、このグルーガンスタンド１の正面図と平面図を示す。
グルーガンスタンド１は、台座２と立掛板３を備える。
【００１８】
台座２の底面の形状は、長方形のような細長い形状が好ましい。
この台座２の中央部付近を通り長手方向にほぼ直交する線分によって、台座２を二分し、この２領域を画する位置を基底として立掛板３を立設させる。立掛板３を挟み、一方の領域を第１受台部分４、他方の領域を第２受台部分５と呼ぶこととし、それぞれの上方を向く面６，７をグルーガンＧの載置用に使用するものとする。
【００１９】
第２受台部分５のグルーガン載置面７は、第１受台部分４のグルーガン載置面６よりも高くする。このように高さを変えたのは、第１受台部分４と第２受台部分５とでは、サイズの異なるグルーガンＧを載せることができるようにするためである。小型のグルーガンの場合、第２受台部分５の側に載せるならば、グリップ部Ｇ１の基部Ｇ７が第２受台部分５のグルーガン載置面７に接触し、安定的に保持できる。
【００２０】
大型のグルーガンのグリップ部Ｇ１は、通常、第１受台部分４の側に載せればよい。
しかし、大型のグルーガンによっては、そのグリップ部Ｇ１を第１受台部分４の載置面６に置けないこともある。その場合は、グルーガンスタンド１が置かれている床あるいは机などの上にグリップ部Ｇ１を載せ、立掛板３に立掛ければよい。
【００２１】
第２受台部分５のうち、第１受台部分４のグルーガン載置面６よりも上方に位置する部分を第２受台部分上部５Ｂ、その下方を第２受台部分下部５Ａと呼ぶことにする。第２受台部分上部５Ｂは、図５に示すように第２受台部分下部５Ａと形状および大きさを一致させてもよいことは無論であるが、必ずしも一致させる必要はない。図１、図３および図４に示す本実施形態では、第２受台部分上部５Ｂは第２受台部分下部５Ａよりも一回り小さくしている。グルーガンＧを安定的に保持するのに十分なスペースがあれば、第２受台部分５の上部５Ｂをできるだけ小さくした方が、グルーガンスタンド１の重さを軽くできるからである。
また、第２受台部分上部５Ｂの形状も、デザイン的効果などを考慮のうえ、決めればよい。
【００２２】
このグルーガンスタンド１の材料と製法は特に限定しないが、例えば、第２受台部分下部５Ａ及び第１受台部分４に相当する一枚の細長いガラス板の上に、第２受台部分上部５Ｂに相当するガラス板を接着し、さらに立掛板３に相当するガラス板を接着して形成することができる。
あるいは、第２受台部分の上部５Ｂを下部５Ａに一致するように重ねたい場合は、厚目のガラス板１枚を用い、第１受台部分４に相当する部分の上方にあたる部分を切削してもよい。また、第２受台部分５には厚めのガラスを使用し、第１受台部分４には半分程度の厚さのガラスを使用して、この２種類のガラスを接着して台座２としてもよい。
【００２３】
ここで、材料としてはガラスが好ましい理由について説明する。
まず、耐熱性がある。しかも熱伝導性がすぐれ、熱したグルーやガンノズル付近と接触しても、接触箇所の周囲にも熱が伝わる。そのため、接触箇所のみが高温になることがない。
そのうえ、グルーが溶け出しても、ガラス面上に冷えて固まったグルーは簡単に取り除ける。例えば、爪で引っかくだけでも取り除ける。
さらに、ガラスは加工が容易であり、ガラス板同士を高温に熱して接着させたり、好みのデザインにカットしたりするのに便利である。
【００２４】
次に立掛板３について説明する。立掛板３も、板状のガラスで形成すればよい。幅は、台座２の第１受台部分４と第２受台部分５とを画する線分の長さとほぼ等しくする。高さは、保持するグルーガンＧの大きさを考慮して決定する。立掛板３の底部は、台座２に接着するので平らにする。一方、立掛板３の頂部は、図１に示すように、中央付近が底になるようなＵ字型形状とするのが好ましい。そして、このＵ字型形状部分は、グルーガンＧのトリガレバーＧ２と支持脚Ｇ４との間の部分を支えるための支持部８となる。
【００２５】
このＵ字型形状の支持部８の開口部分の大きさは、グルーガンＧをトリガレバーＧ２の上方で支えたときに遊びを少なくするように決めればよい。あまり広く開口していると、グルーガンＧが傾いたり回転したりして、受台のグルーガン載置面６，７から滑り落ちるからである。
この支持部８を形成するためには、板ガラスをカットすることになる。この場合、カット断面の形状は任意ではあるが、なるべくなら、中央付近が高い山形にカットするとよい。第１受台部分４と第２受台部分５のいずれの側から立てかけても、グルーガンＧを安定して支えられるからである。
【００２６】
立掛板３は、台座２に対して垂直に立設しても構わないが、第１受台部分４の側に若干傾けるとよい。その理由を図６、図７に従い、説明する。
図６は、第１受台部分４にグリップ部Ｇ１を載せてグルーガンＧを保持する状態を示した図であり、グルーガンＧのグリップ部基部Ｇ７が第１受台部分４に接する点を点Ａとする。台座２と立掛板３の中心線との交点を点Ｂとする。グルーガンＧのトリガレバーＧ２と支持脚Ｇ４の間にあって立掛板３の支持部８と接する点を点Ｃとする。
グルーガンＧが安定して保持されるためには、角ＡＢＣが鋭角であることが望ましい。
図７は、第２受台部分５にグリップ部Ｇ１を載せてグルーガンＧを保持する状態を示した図であり、グルーガンＧのグリップ部基部Ｇ７が第２受台部分５の上部５Ｂに接する点を点Ｄとする。グルーガンＧが安定して保持されるためには、角ＤＢＣも鋭角であることが望ましい。ここで、立掛板３を台座２に対して、あまり傾けすぎると角ＤＢＣが鈍角になる。その場合、第２受台部分５にグリップ部Ｇ１を載せ、立掛板３に立てかけるときにトリガレバーＧ２の上部が立掛板３の支持部８において傾いたり回転したりしやすくなる。
したがって、角ＡＢＣと角ＤＢＣのいずれをも鋭角にするために、立掛板３を台座２に対して垂直よりも若干傾けることが好ましい。
【００２７】
前記の実施形態では、材料としてガラスを使用した。しかし、耐熱性で比較的熱伝導性が良好な素材であれば材料として用いることができ、ガラスに限定するものではない。したがって、陶器、磁器あるいはセラミックなどで形成してもよい。
【００２８】
前記の実施形態では、主に小型グルーガンを載置する第２受台部分５のグルーガン載置面７の形状について特に限定しなかった。この面７は凹凸のない平面であっても差し支えないが、グルーガンＧが滑り落ちないようにするため、図８に示すような凹部９をつけることも一つの方法である。この凹部９は、グルーガンＧのグリップ部分Ｇ１の基部Ｇ７があたる位置に設けられていればよく、位置、形状、大きさは特に限定しない。
【００２９】
前記の実施形態では、立掛板３の頂部に設けた支持部８はＵ字型形状をしているが、Ｖ字型形状でもよい。
あるいはＷ字型形状にしてもよく、この場合は、立掛板３の両側から同時に２つのグルーガンＧを載せることができる。
【００３０】
前記の実施形態では、グルーガンが使われる場面を特に限定していない。グルーガンは建築用をはじめ、いろいろな場面で使われる。しかし、本発明では、主として手芸用に使われる場合を想定している。
手芸は、サロン風の室内で行われることも多く、その道具類は、インテリア小物としての効果も発揮できるならば一石二鳥である。
このような効果を発揮するためのバリエーションを、以下にいくつか例示する。
【００３１】
台座２の底面の形状は、細長い板状であれば、長方形に限らず、楕円でも切り株形状でもよい。
また、台座２の底面、グルーガン載置面６，７、あるいは第２受台部分の下部５Ａと上部５Ｂとの接着面にサンドブラストなどの手法によりカットした図案をあしらってもよい。
さらに、台座２や立掛板３の外周を滑らかにカットせず、荒削りにしたりすることで手作り感をかもし出してもよい。
なお、前記の実施形態でガラスを材料としたのは、このような加工を容易にするためでもある。
【００３２】
グルーガンを載せたときに邪魔にならない位置、例えば、台座２の隅などに、図９に示すような指輪を置ける小さな飾り１０を設けてもよい。飾り１０の形状は、球形などの立体図形や、貝殻や花の蕾みをデフォルメしたものなど、いろいろ考えられる。このグルーガンスタンドを使用する人は、フラワーデザインなどを職業としたり趣味としたりする女性が多い。そのため、作業中に指輪を掛けておけるならば、指輪紛失の心配がない。
【００３３】
前記の実施形態では、第２受台部分５の上部５Ｂを下部５Ａよりも小さくすると、上部５Ｂと立掛板３との間に隙間１１（図３参照）が生じる。
このグルーガンスタンド１は、本来の目的で使用されていないときには、この隙間１１にカードや名刺などを立てかけるスタンドとして利用できる。
【００３４】
つまり、前記のように開示された実施の形態はすべての点で例示であって、制限的なものではない。したがって、種々の変形が可能である。しかし、その変形が特許請求の範囲に記載された技術思想に基づくものである限り、その変形は本発明の技術的範囲に含まれる。
【産業上の利用可能性】
【００３５】
加熱したグルーガンを安全に保持でき、作業における使い勝手が良く、付着したグルーの除去が容易であるとともに、使用していないときはインテリア小物としても利用できる。
【図面の簡単な説明】
【００３６】
【図１】本実施形態のグルーガンスタンドの斜視図である。
【図２】グルーガンの各部を説明する図である。
【図３】本実施形態のグルーガンスタンドの正面図である。
【図４】本実施形態のグルーガンスタンドの平面図である。
【図５】本実施形態のグルーガンスタンドの変形例の正面図である。
【図６】本実施形態のグルーガンスタンドの使用状態を示す図である。
【図７】本実施形態のグルーガンスタンドの使用状態を示す図である。
【図８】他の実施形態のグルーガンスタンドの斜視図である。
【図９】他の実施形態のグルーガンスタンドの斜視図である。
【符号の説明】
【００３７】
１  グルーガンスタンド
２  台座
３  立掛板
４  第１受台部分
５  第２受台部分
６  （第１受台部分の）グルーガン載置面
７  （第２受台部分の）グルーガン載置面
８  （立掛板３の頂部の）支持部
Ｇ  グルーガン
【図１】
0004480020.tif 000002
【図２】
0004480020.tif 000003
【図３】
0004480020.tif 000004
【図４】
0004480020.tif 000005
【図５】
0004480020.tif 000006
【図６】
0004480020.tif 000007
【図７】
0004480020.tif 000008
【図８】
0004480020.tif 000009
【図９】
0004480020.tif 000010